(57)【要約】【課題】ユーザが表示部の表示を理解できない状況を低減する。【解決手段】印刷装置２は、表示部２２と、表示言語情報を含む印刷ジョブを保持する印刷ジョブ保持部２６と、ユーザ識別情報を取得するＩＣカードリーダ１２と、ＩＣカードリーダ１２が取得したユーザ識別情報が示すユーザのログインの成否を判断するログイン判断部３１と、ログインが成功したと判断されると、印刷ジョブ保持部２６に保持されているログイン中のユーザの印刷ジョブの表示言語情報が示す言語で表示部２２の表示を行う表示制御部３２と、印刷ジョブの表示言語情報が示す言語を、当該印刷ジョブに対応するユーザの表示言語として記憶する表示言語記憶部２７とを備え、表示制御部３２は、ログイン中のユーザの印刷ジョブが印刷ジョブ保持部２６に保持されていない場合、表示言語記憶部２７に記憶された当該ユーザの表示言語で表示部２２の表示を行う。【選択図】図１
2015116795.tif 000002
【特許請求の範囲】
【請求項１】
画像を表示する表示部と、
外部の装置から送信された、表示言語情報を含む印刷ジョブを保持する印刷ジョブ保持部と、
ユーザ識別情報を取得するユーザ識別情報取得部と、
前記ユーザ識別情報取得部が取得したユーザ識別情報が示すユーザのログインの成否を判断するログイン判断部と、
前記ログイン判断部でユーザのログインが成功したと判断されると、前記印刷ジョブ保持部に保持されているログイン中のユーザの印刷ジョブの表示言語情報が示す言語で前記表示部の表示を行う表示制御部と、
印刷ジョブの表示言語情報が示す言語を、当該印刷ジョブに対応するユーザの表示言語として記憶する表示言語記憶部とを備え、
前記表示制御部は、ログイン中のユーザの印刷ジョブが前記印刷ジョブ保持部に保持されていない場合、前記表示言語記憶部に記憶された当該ユーザの表示言語で前記表示部の表示を行うことを特徴とする印刷装置。
【発明の詳細な説明】
【技術分野】
【０００１】
本発明は、表示部を有する印刷装置に関する。
【背景技術】
【０００２】
操作パネル等に表示部を有する印刷装置が知られている。表示部には、各種の操作画面等の画像が表示される。
【０００３】
このような印刷装置において、印刷ジョブとともに受信した言語情報に基づく言語で表示部の表示を行うことが、特許文献１に開示されている。
【０００４】
ところで、ユーザが印刷装置にログインして操作する際、表示部の表示言語を、ログイン中のユーザが理解可能な言語とすることが好ましい。これに対し、特許文献１のように、印刷装置が印刷ジョブとともに受信した言語情報を用いて、表示部の表示言語を制御することで、ログイン中のユーザに対応する表示言語とすることが可能である。
【０００５】
具体的には、言語情報を含む印刷ジョブを印刷装置が受信して保持する。印刷装置が保持している印刷ジョブのオーナーであるユーザが印刷装置にログインすると、印刷装置は、当該印刷ジョブが含む言語情報が示す言語で表示部の表示を行う。これにより、表示部の表示言語を、ログイン中のユーザに対応した言語とすることができる。
【先行技術文献】
【特許文献】
【０００６】
【特許文献１】特開２０１３−６５１７８号公報
【発明の概要】
【発明が解決しようとする課題】
【０００７】
しかしながら、ユーザが印刷装置にログインしたときに、印刷装置に当該ユーザの印刷ジョブは保持されていないことがある。例えば、ユーザがプリンタ機能以外のコピー機能等を用いる際に印刷装置にログインした場合では、ユーザが印刷装置に印刷ジョブの送信を行っておらず、印刷装置に当該ユーザの印刷ジョブは保持されていないことがある。この場合、印刷ジョブから言語情報を取得することができず、表示部の表示言語をログイン中のユーザに対応した言語とすることができない。
【０００８】
本発明は上記に鑑みてなされたもので、ユーザが表示部の表示を理解できない状況を低減できる印刷装置を提供することを目的とする。
【課題を解決するための手段】
【０００９】
上記目的を達成するため、本発明に係る印刷装置の特徴は、画像を表示する表示部と、外部の装置から送信された、表示言語情報を含む印刷ジョブを保持する印刷ジョブ保持部と、ユーザ識別情報を取得するユーザ識別情報取得部と、前記ユーザ識別情報取得部が取得したユーザ識別情報が示すユーザのログインの成否を判断するログイン判断部と、前記ログイン判断部でユーザのログインが成功したと判断されると、前記印刷ジョブ保持部に保持されているログイン中のユーザの印刷ジョブの表示言語情報が示す言語で前記表示部の表示を行う表示制御部と、印刷ジョブの表示言語情報が示す言語を、当該印刷ジョブに対応するユーザの表示言語として記憶する表示言語記憶部とを備え、前記表示制御部は、ログイン中のユーザの印刷ジョブが前記印刷ジョブ保持部に保持されていない場合、前記表示言語記憶部に記憶された当該ユーザの表示言語で前記表示部の表示を行うことにある。
【発明の効果】
【００１０】
本発明に係る印刷装置の特徴によれば、表示制御部は、ログイン中のユーザの印刷ジョブが印刷ジョブ保持部に保持されていない場合、表示言語記憶部に記憶された当該ユーザの表示言語で表示部の表示を行う。これにより、印刷ジョブから表示言語情報を取得できない場合でも、表示部の表示言語を、ログイン中のユーザが理解可能な言語とすることが可能となる。この結果、ユーザが表示部の表示を理解できない状況を低減できる。
【図面の簡単な説明】
【００１１】
【図１】実施の形態に係る印刷システムの構成を示すブロック図である。
【図２】表示言語テーブルを示す図である。
【図３】印刷装置における表示部の表示制御の手順を示すフローチャートである。
【図４】印刷装置における表示部の表示制御の手順を示すフローチャートである。
【図５】印刷装置の表示部に表示される画面の一例を示す図である。
【図６】表示言語選択画面を示す図である。
【発明を実施するための形態】
【００１２】
以下、本発明の実施の形態について、図面を参照して説明する。
【００１３】
図１は、本発明の実施の形態に係る印刷システムの構成を示すブロック図である。図１に示すように、本実施の形態に係る印刷システム１は、印刷装置２と、外部認証サーバ３と、端末装置４とを備える。印刷装置２、外部認証サーバ３、および端末装置４は、ネットワーク５に接続されている。ネットワーク５は、例えば、ＬＡＮ（Local Area Network）からなる。
【００１４】
印刷装置２は、端末装置４から印刷ジョブを受信して印刷を行うプリンタ機能、原稿の画像を読み取って複写印刷を行うコピー機能、および、原稿の画像を読み取って画像データを外部に出力したり印刷装置２内に保存したりするスキャナ機能を有するものである。印刷装置２は、操作パネル部１１と、ＩＣカードリーダ（請求項のユーザ識別情報取得部に相当）１２と、画像読取部１３と、印刷部１４と、記憶部１５と、通信処理部１６と、制御部１７とを備える。
【００１５】
操作パネル部１１は、ユーザの入力操作を受け付けるとともに、画像を表示するものである。操作パネル部１１は、入力部２１と、表示部２２とを備える。
【００１６】
入力部２１は、ユーザによる入力操作を受け付け、操作に応じた操作信号を出力する。入力部２１は、各種の操作キー、タッチパネル等を有する。
【００１７】
表示部２２は、各種の操作画面等の画像を表示するものである。表示部２２は、液晶表示パネル等を有する。
【００１８】
ＩＣカードリーダ１２は、ＩＣカード（図示せず）に記録されたユーザ識別情報を取得する。
【００１９】
画像読取部１３は、原稿台、受光素子、光源、レンズ、走査機構、自動原稿送り装置（いずれも図示せず）等を備え、原稿の画像を光学的に読み取り、画像データを生成する。画像読取部１３は、コピー機能およびスキャナ機能の使用時において、原稿の読み取りを行う。
【００２０】
印刷部１４は、用紙等の印刷媒体に画像を印刷する。印刷部１４は、例えば、インクジェット方式の印刷機構を有する。
【００２１】
記憶部１５は、各種のデータ等を記憶する。記憶部１５は、ＨＤＤ（Hard Disk Drive）等によって構成することができる。記憶部１５は、印刷ジョブ保持部２６と、表示言語記憶部２７とを備える。
【００２２】
印刷ジョブ保持部２６は、端末装置４から送信された印刷ジョブを、当該印刷ジョブが実行されるまで保持する。
【００２３】
表示言語記憶部２７は、図２に示す表示言語テーブル２８を記憶している。表示言語テーブル２８は、登録ユーザと、表示部２２における表示言語とを関連付けて記憶するものである。当初は、表示言語テーブル２８には表示言語は記憶されていない。印刷ジョブ保持部２６に保持された印刷ジョブから取得される表示言語情報が示す言語が、当該印刷ジョブに対応するユーザの表示言語として表示言語テーブル２８に追加されていく。なお、図２の例では、ユーザＤの表示言語がまだ記憶されていない。
【００２４】
通信処理部１６は、印刷装置２をネットワーク５に接続する。これにより、印刷装置２が、外部認証サーバ３および端末装置４と通信可能となる。
【００２５】
制御部１７は、印刷装置２における制御的な処理を行う。制御部１７は、ＣＰＵ、ＲＯＭ、ＲＡＭ等によって構成することができる。制御部１７は、ログイン判断部３１と、表示制御部３２と、画像読取制御部３３と、印刷制御部３４とを備える。
【００２６】
ログイン判断部３１は、ＩＣカードリーダ１２によりユーザ識別情報が取得されると、当該ユーザ識別情報が示すユーザのログインを外部認証サーバ３に要求するとともに、ログインの成否を判断する。ログイン判断部３１は、外部認証サーバ３からログイン許可信号を受信すると、ログインが成功したと判断する。一方、外部認証サーバ３にアクセスできない場合、ログイン判断部３１は、ログインに失敗したと判断する。外部認証サーバ３にアクセスできない要因は、例えば、外部認証サーバ３の故障による停止等である。
【００２７】
表示制御部３２は、表示部２２の表示を制御する。表示制御部３２は、ログイン判断部３１でユーザのログインが成功したと判断されると、印刷ジョブ保持部２６に保持されているログイン中のユーザの印刷ジョブの表示言語情報が示す言語で表示部２２の表示を行う。ここで、ユーザがプリンタ機能を使用するためにログインする際、通常は、事前に端末装置４から当該ユーザの印刷ジョブが送信され、ログイン時には当該印刷ジョブが印刷ジョブ保持部２６に保持されている。
【００２８】
一方、ユーザがコピー機能またはスキャナ機能を用いる際に印刷装置にログインした場合等では、印刷ジョブ保持部２６に当該ユーザの印刷ジョブは保持されていないことがある。ログイン中のユーザの印刷ジョブが印刷ジョブ保持部２６に保持されていない場合、表示制御部３２は、表示言語記憶部２７の表示言語テーブル２８に記憶された当該ユーザの表示言語で表示部２２の表示を行う。当該ユーザの表示言語が表示言語テーブル２８に記憶されていない場合は、表示制御部３２は、後述する図６の表示言語選択画面５０から選択された表示言語でその後の表示部２２の表示を行う。
【００２９】
画像読取制御部３３は、画像読取部１３を制御して原稿の画像の読み取りを実行させる。
【００３０】
印刷制御部３４は、印刷部１４に印刷を実行させる。
【００３１】
外部認証サーバ３は、ユーザのログイン認証を行う。外部認証サーバ３は、印刷装置２からユーザのログインを要求されると、当該ユーザのログイン認証を行い、ログインを許可すると、ログイン許可信号を印刷装置２へ送信する。
【００３２】
端末装置４は、印刷ジョブを印刷装置２へ送信する。端末装置４が送信する印刷ジョブは、印刷装置２の表示部２２における表示言語を示す表示言語情報を含むヘッダ情報を含む。印刷ジョブの表示言語情報が示す言語は、当該印刷ジョブのオーナーであるユーザが理解可能な言語である。
【００３３】
次に、印刷システム１の印刷装置２における表示部２２の表示制御について説明する。
【００３４】
印刷装置２は、ユーザが印刷装置２を使用するためには、ログインが必要な設定である。ただし、ログインに失敗した場合でも、コピー機能およびスキャナ機能については使用可能となっている。印刷装置２では、ログインしたユーザが理解可能な言語で表示部２２の表示を行うための表示制御を行う。図３、図４は、この表示制御の手順を示すフローチャートである。
【００３５】
ユーザが印刷装置２にログインするためにＩＣカードをＩＣカードリーダ１２にかざすと、図３のステップＳ１において、ＩＣカードリーダ１２は、ＩＣカードからユーザ識別情報を取得し、これを制御部１７へ出力する。
【００３６】
次いで、ステップＳ２において、ログイン判断部３１は、ユーザのログインを外部認証サーバ３に要求する。具体的には、ログイン判断部３１は、ＩＣカードリーダ１２により取得されたユーザ識別情報を含むログイン認証要求信号を外部認証サーバ３へ送信する。
【００３７】
次いで、ステップＳ３において、ログイン判断部３１は、ログインが成功したか否かを判断する。具体的には、ログイン判断部３１は、外部認証サーバ３からログイン許可信号を受信すると、ログインが成功したと判断する。外部認証サーバ３にアクセスできない場合、ログイン判断部３１は、ログインに失敗したと判断する。
【００３８】
ログインが成功したとログイン判断部３１が判断した場合（ステップＳ３：ＹＥＳ）、ステップＳ４において、表示制御部３２は、ログイン中のユーザの印刷ジョブが印刷ジョブ保持部２６に保持されているか否かを判断する。ここで、端末装置４から送信された印刷ジョブが、印刷装置２において、ログインしたユーザにより印刷が指示されて実行されるまで、印刷ジョブ保持部２６に保持される。
【００３９】
ログイン中のユーザの印刷ジョブが保持されていると判断した場合（ステップＳ４：ＹＥＳ）、ステップＳ５において、表示制御部３２は、ログイン中のユーザの印刷ジョブから表示言語情報を取得する。
【００４０】
次いで、ステップＳ６において、表示制御部３２は、ステップＳ５で取得した表示言語情報が示す表示言語で表示部２２の表示を行う。例えば、表示言語が日本語の場合、表示制御部３２は、図５に示すモード選択画面４０のように、言語部分を日本語で表示させる。
【００４１】
なお、モード選択画面４０は、ユーザによるモードの選択を受け付けるための画面である。モードとしては、プリンタ機能による印刷を行うプリンタモード、コピー機能による印刷を行うコピーモード、スキャナ機能による画像の読み取りを行うスキャナモードがある。
【００４２】
図３に戻り、ステップＳ６の後、ステップＳ７において、表示制御部３２は、ログイン中のユーザの表示言語が表示言語テーブル２８に記憶済みであるか否かを判断する。当該ユーザの過去のログイン時に表示言語が表示言語テーブル２８に記憶された場合は、当該ユーザの表示言語が記憶済みとなっている。
【００４３】
ログイン中のユーザの表示言語は記憶されていないと判断した場合（ステップＳ７：ＮＯ）、ステップＳ８において、表示制御部３２は、ログイン中のユーザの表示言語を表示言語記憶部２７に記憶させる。具体的には、表示制御部３２は、ステップＳ５で取得した表示言語情報が示す表示言語を、ログイン中のユーザの表示言語として表示言語テーブル２８に追加する。これにより、一連の処理が終了となる。
【００４４】
ログイン中のユーザの表示言語が記憶済みであると表示制御部３２が判断した場合（ステップＳ７：ＹＥＳ）、ステップＳ８は省略されて一連の処理が終了となる。
【００４５】
ステップＳ３において、ログイン判断部３１がログインに失敗したと判断した場合（ステップＳ３：ＮＯ）、図４のステップＳ９において、表示制御部３２は、ログイン操作したユーザの表示言語が表示言語テーブル２８に記憶済みであるか否かを判断する。ここで、ログイン操作したユーザとは、ＩＣカードリーダ１２にカードをかざしたユーザ、すなわち、ＩＣカードリーダ１２が取得したユーザ識別情報が示すユーザである。
【００４６】
ログイン操作したユーザの表示言語が記憶済みであると判断した場合（ステップＳ９：ＹＥＳ）、ステップＳ１０において、表示制御部３２は、表示言語テーブル２８に記憶された当該ユーザの表示言語で表示部２２の表示を行う。これにより、一連の処理が終了となる。
【００４７】
ログイン操作したユーザの表示言語は記憶されていないと判断した場合（ステップＳ９：ＮＯ）、ステップＳ１１において、表示制御部３２は、図６に示す表示言語選択画面５０を表示部２２に表示させる。
【００４８】
表示言語選択画面５０は、表示言語をユーザに選択させるための画面である。表示言語選択画面５０は、少なくとも１つのデフォルト言語を用いて表示される。図６の表示言語選択画面５０では、デフォルト言語として日本語、英語、中国語を用いている。表示言語選択画面５０には、表示言語選択ボタン５１Ａ，５１Ｂ，５１Ｃが表示される。表示言語選択ボタン５１Ａ，５１Ｂ，５１Ｃは、表示言語の選択肢を示すとともに、ユーザによる表示言語の選択を受け付けるボタンである。なお、図６の表示言語選択画面５０では、選択可能な表示言語を３つ示しているが、選択可能な言語の数はこれに限らない。
【００４９】
図４に戻り、ステップＳ１１の後、ステップＳ１２において、表示制御部３２は、ユーザ操作により表示言語選択画面５０から表示言語が選択されたか否かを判断する。表示言語が選択されていないと判断した場合（ステップＳ１２：ＮＯ）、表示制御部３２は、ステップＳ１２を繰り返す。
【００５０】
表示言語が選択されたと判断した場合（ステップＳ１２：ＹＥＳ）、ステップＳ１３において、表示制御部３２は、表示言語選択画面５０から選択された表示言語でその後の表示部２２の表示を行う。これにより、一連の処理が終了となる。
【００５１】
なお、表示制御部３２は、表示言語選択画面５０から選択されて表示部２２に表示した言語を、ログイン操作したユーザの表示言語として表示言語テーブル２８に追加してもよい。
【００５２】
図３のステップＳ４において、ログイン中のユーザの印刷ジョブは保持されていないと判断した場合（ステップＳ４：ＮＯ）、ステップＳ１４において、表示制御部３２は、ログイン中のユーザの表示言語が表示言語テーブル２８に記憶済みであるか否かを判断する。ログイン中のユーザの表示言語が記憶済みではないと判断した場合（ステップＳ１４：ＮＯ）、表示制御部３２は、図４のステップＳ１１へ進む。
【００５３】
ログイン中のユーザの表示言語が記憶済みであると判断した場合（ステップＳ１４：ＹＥＳ）、ステップＳ１５において、表示制御部３２は、表示言語テーブル２８に記憶された当該ユーザの表示言語で表示部２２の表示を行う。これにより、一連の処理が終了となる。
【００５４】
次に、印刷装置２の各モードにおける動作について説明する。
【００５５】
ログイン中のユーザによりモード選択画面４０からプリンタモードが選択された場合、表示制御部３２は、印刷ジョブ保持部２６に保持されている当該ユーザの印刷ジョブを一覧表示する印刷ジョブ一覧画面（図示せず）を表示部２２に表示させる。印刷ジョブ一覧画面から実行する印刷ジョブが選択されて印刷開始が指示されると、印刷制御部３４は、選択された印刷ジョブに基づき、印刷部１４に印刷を実行させる。
【００５６】
ログイン中のユーザによりモード選択画面４０からコピーモードが選択された場合、表示制御部３２は、コピーモード画面（図示せず）を表示部２２に表示させる。その後、画像読取部１３に原稿がセットされてコピー開始が指示されると、画像読取制御部３３は、画像読取部１３に原稿の画像を読み取らせ、原稿の画像データを生成させる。そして、印刷制御部３４は、原稿の画像データに基づき、印刷部１４に印刷を実行させる。
【００５７】
ログイン中のユーザによりモード選択画面４０からスキャナモードが選択された場合、表示制御部３２は、スキャナモード画面（図示せず）を表示部２２に表示させる。その後、画像読取部１３に原稿がセットされてスキャナ開始が指示されると、画像読取制御部３３は、画像読取部１３に原稿の画像を読み取らせ、原稿の画像データを生成させる。そして、画像読取制御部３３は、原稿の画像データを、外部に出力するか、記憶部１５に保存する。
【００５８】
前述のように、ログインに失敗した場合でも、コピー機能およびスキャナ機能については使用可能である。したがって、ログインに失敗した場合でも、コピーモードまたはスキャナモードが選択された場合、印刷装置２は、上述したそれぞれのモードの動作を行う。
【００５９】
以上説明したように、印刷装置２では、表示制御部３２は、ログイン中のユーザの印刷ジョブが印刷ジョブ保持部２６に保持されていない場合、表示言語記憶部２７に記憶された当該ユーザの表示言語で表示部２２の表示を行う。これにより、印刷ジョブから表示言語情報を取得できない場合でも、表示部２２の表示言語を、ログイン中のユーザが理解可能な言語とすることが可能となる。この結果、ユーザが表示部２２の表示を理解できない状況を低減できる。
【００６０】
また、表示制御部３２は、ログイン中のユーザの印刷ジョブが印刷ジョブ保持部２６に保持されていない場合において、当該ユーザの表示言語が表示言語記憶部２７に記憶されていない場合、表示言語選択画面５０を表示部２２に表示させる。ユーザにより表示言語選択画面５０から表示言語が選択されると、表示制御部３２は、選択された表示言語でその後の表示部２２の表示を行う。これにより、ログイン中のユーザの表示言語が表示言語記憶部２７に記憶されていない場合でも、表示部２２の表示言語を、ログイン中のユーザが理解可能な言語とすることが可能となる。
【００６１】
また、表示制御部３２は、ログインが失敗した場合、表示言語記憶部２７に記憶された、ログイン操作したユーザ（ＩＣカードリーダ１２が取得したユーザ識別情報が示すユーザ）の表示言語で表示部２２の表示を行う。これにより、ログインが失敗した場合でも使用可能なコピー機能またはスキャナ機能をユーザが使用する際の表示部２２の表示言語を、ユーザが理解可能な言語とすることが可能となる。
【００６２】
また、表示制御部３２は、ログインが失敗した場合において、ログイン操作したユーザの表示言語が表示言語記憶部２７に記憶されていない場合、表示言語選択画面５０を表示部２２に表示させる。ユーザにより表示言語選択画面５０から表示言語が選択されると、表示制御部３２は、選択された表示言語でその後の表示部２２の表示を行う。これにより、ログインが失敗した場合において、ログイン操作したユーザの表示言語が表示言語記憶部２７に記憶されていない場合でも、表示部２２の表示言語を、当該ユーザが理解可能な言語とすることが可能となる。
【００６３】
なお、上記実施の形態では、ＩＣカードリーダ１２によりユーザ識別情報を取得したが、入力部２１においてユーザ操作に基づきユーザ識別情報を取得してもよい。
【００６４】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００６５】
１  印刷システム
２  印刷装置
３  外部認証サーバ
４  端末装置
５  ネットワーク
１１  操作パネル部
１２  ＩＣカードリーダ
１３  画像読取部
１４  印刷部
１５  記憶部
１７  制御部
２１  入力部
２２  表示部
２６  印刷ジョブ保持部
２７  表示言語記憶部
２８  表示言語テーブル
３１  ログイン判断部
３２  表示制御部
３３  画像読取制御部
３４  印刷制御部
５０  表示言語選択画面
【図１】
2015116795.tif 000003
【図２】
2015116795.tif 000004
【図３】
2015116795.tif 000005
【図４】
2015116795.tif 000006
【図５】
2015116795.tif 000007
【図６】
2015116795.tif 000008